(57)【要約】【課題】応力集中を避けることができると共に、経済的な設計が可能なスタンドフレームを備えたアリーナを提供する【解決手段】アリーナ１は、略矩形状のフィールド部２と、当該フィールド部１を囲むスタンド席３ａ、３ｂとを備えると共に、スタンド席３ａ、３ｂの架構を構成し、フィールド部２を四方向から互いに独立して囲う４つのスタンドフレーム３１、３５を有し、隣接するスタンドフレーム３１、３５間にはエキスパンションジョイントＥが介設されている。【選択図】図１
2019214840.tif 000002
【特許請求の範囲】
【請求項１】
略矩形状のフィールド部と、当該フィールド部を囲むスタンド席と、を備えたアリーナであって、
上記スタンド席の架構を構成し、上記フィールド部を四方向から互いに独立して囲う４つのスタンドフレーム、を有し、
隣接するスタンドフレーム間にエキスパンションジョイントが介設されている、
アリーナ。
【請求項２】
上記フィールド部は、長辺方向と短辺方向を有する略矩形状からなり、
上記スタンドフレームは、上記フィールド部の長辺と略同等の長さを有する第一スタンドフレームと、上記フィールド部の短辺と略同等の長さを有する第二スタンドフレームによって構成され、
上記フィールド部には、長辺側に２つの上記第一スタンドフレームが隣接し、短辺側に２つの上記第二スタンドフレームが隣接し、
隣接する上記第一スタンドフレームと上記第二スタンドフレームの間にエキスパンションジョイントが介設されている、
請求項１記載のアリーナ。
【発明の詳細な説明】
【技術分野】
【０００１】
本発明は、アリーナに関する。
【背景技術】
【０００２】
近年、スポーツ観戦、コンサート、展示会など多目的に使うイベント会場として、数千人〜数万人規模の観客を収容できるアリーナが各地に建設されている。アリーナは、バスケットボールなどのスポーツやコンサートが実際に行われるフィールド部と、そのフィールド部を取り囲むように設置された階段状の客席を備えている。
【０００３】
例えば、特許文献１では、空間量可変の多目的つり屋根アリーナの構造が提案されている。特許文献２では、昇降および進退方式のスライドスタンドを持つアリーナが提案されている。特許文献３では、多目的アリーナを備えた建物の天井構造が提案されている。
【先行技術文献】
【特許文献】
【０００４】
【特許文献１】特開平７−３１０４４８号公報
【特許文献２】特開平８−２６０７３６号公報
【特許文献３】特開平９−１１９２２９号公報
【発明の概要】
【発明が解決しようとする課題】
【０００５】
通常、アリーナには、競技やコンサートなどが行われるフィールド部と、フィールド部で行われる競技や実演を鑑賞する観客が座るためのスタンド席が設けられている。フィールド部は中央に設けられ、スタンド席は、フィールド席の四方を囲うように設けられる。
【０００６】
この点、フィールド部を四方から囲うスタンド席の架構を構成するスタンドフレームは、一体的に形成されている。
しかしながら、フィールド部の四囲に設けられたスタンドフレームが一体的に形成されたものである場合、局所的な応力であっても全体に影響するため、このことを踏まえた設計が必要となり、柱や梁の断面サイズが大きくなる傾向があった。
また、一般的なアリーナは、長辺方向と短辺方向を有する平面視長方形状又は略長方形状からなり、スタンドフレームもこれに応じて、長辺方向に沿って設けられた部分と短辺方向に沿って設けられた部分から形成されていた。即ち、フィールド部を囲う方向によってスタンドフレームの全長が異なる結果、フィールド部を囲う方向ごとにスタンドフレームの剛性が異なり、地震時の水平力の分担が不均一で、特に隅に応力が集中しやすくなっていた。また、これにより隅部分の架構が複雑になることも多かった。
【０００７】
そこで、本発明は、応力集中を避けることができると共に、経済的な設計が可能なスタンドフレームを備えたアリーナを提供することを目的とする。
【課題を解決するための手段】
【０００８】
上記目的を達成するため、本発明に係るアリーナは、略矩形状のフィールド部と、当該フィールド部を囲むスタンド席と、を備えたアリーナであって、上記スタンド席の架構を構成し、上記フィールド部を四方向から互いに独立して囲う４つのスタンドフレーム、を有し、隣接するスタンドフレーム間にエキスパンションジョイントが介設されている。
【０００９】
また、上記フィールド部は、長辺方向と短辺方向を有する略矩形状からなり、上記スタンドフレームは、上記フィールド部の長辺と略同等の長さを有する第一スタンドフレームと、上記フィールド部の短辺と略同等の長さを有する第二スタンドフレームによって構成され、上記フィールド部には、長辺側に２つの上記第一スタンドフレームが隣接し、短辺側に２つの上記第二スタンドフレームが隣接し、隣接する上記第一スタンドフレームと上記第二スタンドフレームの間にエキスパンションジョイントが介設されているものとしてもよい。
【発明の効果】
【００１０】
本発明に係るアリーナによれば、アリーナを構成するスタンドフレームについて、特定の箇所への応力集中を避けることができ、経済的な設計が可能である。
【図面の簡単な説明】
【００１１】
【図１】本発明の実施形態に係るアリーナの内部を模式的に示した俯瞰図である。
【図２】本実施形態に係るアリーナのＡ−Ａ矢視図を模式的に示した模式図である。
【図３】本実施形態に係るアリーナのＢ−Ｂ矢視図を模式的に示した模式図である。
【図４】本実施形態に係るアリーナを構成するスタンドフレームを模式的に示した模式図である。
【図５】本実施形態に係るアリーナを構成する別のスタンドフレームを模式的に示した模式図である。
【発明を実施するための形態】
【００１２】
以下、本発明の実施形態に係るアリーナについて説明する。
図１から図３に示される本実施形態に係るアリーナ１は、競技やコンサートなどを催すことのできる構造物であって、本実施形態では平面視略矩形状からなる。
このアリーナ１は、フィールド部２と、フィールド部２を囲むスタンド席３ａ、３ｂとを有している。フィールド部２の周囲にはスタンド席３ａ、３ｂが設けられており、スタンド席３ａ、３ｂの周囲は壁部Ｗによって覆われている。また、フィールド部２とスタンド席３ａ、３ｂの上方は屋根板Ｒによって覆われており、天候によらず、競技やコンサートなどを行うことのできる屋内空間を形成している。
なお、本実施形態に係るアリーナ１の外観形状は、平面視略矩形状あるいは平面視略楕円形状など各種の形状を取ることができる。
【００１３】
●フィールド部２
フィールド部２は、各種の競技やコンサートなどが催される場合に、競技者が実演あるいは演者が実演等するスペースであり、本実施形態では長手方向と短手方向を有し、長辺を形成する互いに向き合う２辺と、短辺を形成する互いに向き合う２辺とによって囲われたスペースとして構成されている。このフィールド部２は、スタンド席３ａ、３よりも低い位置にあって、スタンド席３ａ、３ｂの観客等から見下ろされる位置にある。
また、フィールド部２には、床スラブ５上に床板２１が敷設されている。
【００１４】
●スタンド席３ａ、３ｂ
スタンド席３ａ、３ｂは、フィールド部２で行われる競技や実演等を見る観客が座るためのスペース、及び当該スペースに設けられた観客用の客席３３であり、フィールド部２を四方から囲うように設けられている。客席３３は、縦横に複数配設されており、フィールド部２から壁部Ｗに向かっては、階段状に徐々に高い位置をとるように配設されている。これにより、壁部Ｗ側の客席３３に座る観客が、フィールド部２側に座る観客の有無にかかわらず、フィールド部２を見やすいようになっている。
【００１５】
スタンド席３ａ、３ｂは夫々、２つずつ設けられており、スタンド席３ａの長さはフィールド部２の長辺の長さと略同じであり、スタンド席３ｂの長さはフィールド部２の短辺の長さと略同じである。
２つのスタンド席３ａは夫々、フィールド部２を区画し、対向する２辺の長辺の一方又は他方に隣接しており、フィールド部２を挟んで互いに向き合う位置に設けられている。
また、２つのスタンド席３ｂは夫々、フィールド部２を区画し、対向する２辺の短辺の一方又は他方に隣接しており、フィールド部２を挟んで互いに向き合う位置に設けられている。
【００１６】
なお、スタンド席３ａ、３ｂの構築にはプレキャスト工法を用いるのが好適である。即ち、スタンド席３ａを示した図２の例で言えば、客席３３の架台としてプレキャストコンクリートを用い、スタンド席３ａの架構となるスタンドフレーム３１上に敷設したプレキャストコンクリートを繋ぎ合わせて架台を形成し、この架台上に客席３３を設ける。これにより工期の短縮、コスト削減が可能である。スタンド席３ｂについても、これと同様に構築することができる。
【００１７】
●メインフレーム４
メインフレーム４は、アリーナ１の骨格を形成する部材であり、アリーナ１の屋根板Ｒ及び壁部Ｗは、中央部が上方に突出した山形アーチ状の複数のメインフレーム４によって支持されている。
このメインフレーム４は、所謂Ｈ型鋼であり、鉛直方向に立設する一対の立設部４２と、一対の立設部４２の上端に架設された架設部４１とから構成される。
【００１８】
一対の立設部４２の下端部は、壁部Ｗ近傍において基礎５４に接合している。
架設部４１は、中央部が上方へ突出しており、上方に支持された屋根板Ｒは中央から幅方向の両端へ傾斜するようになっている。
【００１９】
このような構成からなるメインフレーム４は、アリーナ１の長手方向に沿って、一定間隔ごとに連続的に配設されている。また、一定間隔ごとに配設された複数のメインフレーム４は、アリーナ１の長手方向に延びる梁４３によって連結されている。このように、アリーナ１は同一形状からなる複数のメインフレーム４を長手方向に順次、配設させた構造を基本としており、メインフレーム４の長さと、連続的に配設するメインフレーム４の数によってアリーナ１の大きさが決定される。
【００２０】
●スタンドフレーム３１
図４に示されるスタンドフレーム３１は、スタンド席３ａを構成する部材であって、客席３３を支持し、略矩形状に設けられたフィールド部２の長辺側に隣接して設けられている。
このスタンドフレーム３１は、下端部が基礎５１、５２、５３に接合しており、基礎５１、５２、５３上に自立していると共に、固定的に設置されている。また、メインフレーム４や壁部Ｗとは独立して設けられている。
なお、以下の説明においてスタンドフレーム３１、３５の向きに言及する際には、スタンドフレーム３１、３５の後ろ側に設けられた壁部Ｗに対して直角な向きであって、フィールド部２と壁部Ｗを結ぶ方向を梁間方向、当該梁間方向と直交し、スタンドフレーム３１、３５の後ろ側に設けられた壁部Ｗと平行な方向を桁行方向と称することがある。
【００２１】
スタンドフレーム３１は、高さの異なる３種類の略棒状の立設部３１１、３１２、３１３、立設部３１１、３１２、３１３の上端を梁間方向に架設する架設部３１４、３１５、桁行方向に延びる梁３１６、３１７、３１８から構成される。
【００２２】
立設部３１１、３１２、３１３は夫々、基礎５１、５２、５３に接合しており、鉛直方向又は略鉛直方向に立設している。
これらの立設部３１１、３１２、３１３は高さが異なり、フィールド部２から壁部Ｗに向かって高さが低い順に配設されており、これによりフィールド部２から壁部Ｗに向かって、スタンド席３ａを階段状に設けることができる。
【００２３】
また、立設部３１１と立設部３１２の間、及び立設部３１２と立設部３１３の間には夫々、梁間方向に延びる架設部３１４、３１５が架設されている。
さらに、立設部３１１、３１２、３１３は、桁行方向に沿って、一定間隔ごとに連続的に設けられている。そして、桁行方向に一定間隔ごとに配設された各立設部３１１、３１２、３１３には夫々、その上端部において、桁行方向に延びる梁３１６、３１７、３１８が架設されており、この梁３１６、３１７、３１８によって桁行方向に配設された各立設部３１１、３１２、３１３同士が連結されている。
架設部３１４、３１５、及び梁３１６、３１７、３１８は、立設部３１１、３１２、３１３と共に、客席３３を支持している。
【００２４】
なお、スタンドフレーム３１の立設部３１１、３１２、３１３によって、客席３３は床スラブ５よりも十分に高い位置にあるため、その下方の空間には、トイレや事務室、空調設備等の付帯設備を設けることができる。
【００２５】
●スタンドフレーム３５
図５に示されるスタンドフレーム３５は、スタンド席３ｂを構成する部材であって、客席３３を支持し、略矩形状に設けられたフィールド部２の短辺側に隣接して設けられている。
このスタンドフレーム３５は、スタンドフレーム３１とその長さが異なる以外は同様の構成を有しており、下端部が基礎５５、５６、５７に接合しており、基礎５５、５６、５７上に自立していると共に、固定的に設置されている。また、メインフレーム４や壁部Ｗとは独立して設けられている。
【００２６】
スタンドフレーム３５は、高さの異なる３種類の略棒状の立設部３５１、３５２、３５３、立設部３５１、３５２、３５３の上端を梁間方向に架設する架設部３５４、３５５、桁行方向に延びる梁３５６、３５７、３５８から構成される。
【００２７】
立設部３５１、３５２、３５３は夫々、基礎５５、５６、５７に接合しており、鉛直方向又は略鉛直方向に立設している。
これらの立設部３５１、３５２、３５３は高さが異なり、フィールド部２から壁部Ｗに向かって高さが低い順に配設されており、これによりフィールド部２から壁部Ｗに向かって、スタンド席３ｂを階段状に設けることができる。
【００２８】
また、立設部３５１と立設部３５２の間、及び立設部３５２と立設部３５３の間には夫々、梁間方向に延びる架設部３５４、３５５が架設されている。
さらに、立設部３５１、３５２、３５３は、桁行方向に沿って、一定間隔ごとに連続的に設けられている。そして、桁行方向に一定間隔ごとに配設された各立設部３５１、３５２、３５３には夫々、その上端部において、桁行方向に延びる梁３５６、３５７、３５８が架設されており、この梁３５６、３５７、３５８によって桁行方向に配設された各立設部３５１、３５２、３５３同士が連結されている。
架設部３５４、３５５、及び梁３５６、３５７、３５８は、立設部３５１、３５２、３５３と共に、客席３３を支持している。
【００２９】
なお、スタンドフレーム３５の立設部３５１、３５２、３５３によって、客席３３は床スラブ５よりも十分に高い位置にあるため、その下方の空間には、トイレや事務室、空調設備等の付帯設備を設けることができる。
【００３０】
●エキスパンションジョイントＥ
以上の構成からなるスタンドフレーム３１とスタンドフレーム３５について、スタンドフレーム３１はその両端においてスタンドフレーム３５に隣接し、スタンドフレーム３５もその両端においてスタンドフレーム３１に隣接しているが、相互に独立した構造をとっている。
隣接するスタンドフレーム３１とスタンドフレーム３５の間にはいずれも、エキスパンションジョイントＥが介設されており、各スタンドフレーム３１、３５は応力の影響において互いに独立している。
【００３１】
以上の本実施形態に係るアリーナ１によれば、フィールド部２を囲う４つのスタンドフレーム３１、３５が互いに独立して設けられているため、応力、特に地震時の大きな荷重が相互に影響を及ぼすことがなく、経済的な設計が可能である。また、スタンドフレーム３１、３５が夫々独立しているために、建屋架構の柱配置による平面計画の制約が減少する結果、屋内の柱の配置や壁部Ｗの配置の自由度が増し、アリーナ１の利便性の向上を期待できる。
【００３２】
なお、以上の本実施形態に係るアリーナ１において、トイレなどサービスエリアは、いずれかのスタンドフレーム３１、３５と一体化させ、架構形状を単純化させることもできる。
【００３３】
また、スタンドフレーム３１、３５は夫々独立したものであるが、このことは、基礎構造自体を一体化することを排除するものではなく、スタンドフレーム３１、３５の基礎は一体的な構造を形成していてもよい。
【００３４】
また、本実施形態に係るアリーナ１は必要に応じて、既設後にメインフレーム４やスタンドフレーム３１を設け、増築することができる。逆に、必要に応じて、既設後にメインフレーム４やスタンドフレーム３１を取り外し、減築することもできる。
【００３５】
また、本実施形態に係るアリーナ１において、スタンド席３a、３ｂの構成は一例に過ぎず、スタンド席３aとスタンド席３ｂの間にエキスパンションジョイントEを設ける限り、スタンド席３a、３ｂは本例に示した構成以外の他の構成を採用することもできる。
【産業上の利用可能性】
【００３６】
本発明によれば、経済的な設計が可能であるので、資金が比較的少ない事業主体でもアリーナを建設できる。また、数年後に取り壊す前提で構築する期間限定のテーマパークやオリンピック施設としてのアリーナにも本発明を利用することができる。
【符号の説明】
【００３７】
１      アリーナ
２      フィールド部
２１    床板
３ａ    スタンド席
３１    スタンドフレーム
３１１、３１２、３１３  立設部
３１４、３１５          架設部
３１６、３１７、３１８  梁
３３    客席
３ｂ    スタンド席
３５    スタンドフレーム
３５１、３５２、３５３  立設部
３５４、３５５          架設部
３５６、３５７、３５８  梁
４      メインフレーム
４１    架設部
４２    立設部
４３    梁
５      床スラブ
５１、５２、５３、５４  基礎
Ｅ      エキスパンションジョイント
Ｒ      屋根板
Ｗ      壁部
【図１】
2019214840.tif 000003
【図２】
2019214840.tif 000004
【図３】
2019214840.tif 000005
【図４】
2019214840.tif 000006
【図５】
2019214840.tif 000007